(57)【要約】      （修正有）【課題】市販されている弁当箱、食品、飲料水（油）入れ容器等は消費後すぐにゴミとなり、そのリサイクル（料）は製造販売業者に義務付けられている。しかし、リサイクルには再成コストがかかり、問題がある。特に、再成が困難な時など、これらの容器が森林保護などに役立たせることが出来れば、衛生面に於いても、大きく貢献することになる。【解決手段】ゴミに成り易い容器の内側に小さな升を付け、空容器になったそれの升の中に、砂糖、蜜、フリカケ、ラーメンの残り汁等を入れ、害虫駆除用品として再成する。元来、強い食品の匂いを持っているこれら空容器の底に、水で簿めた中性洗済を少量入れただけの発案はカミキリムシ等の森林に寄ってくる害虫に対し絶大な効果がある。但し、蜜蜂等の益虫の居る場所では本発案は使用出来ないので、釣餌に使うサバ虫を中に仕込んで置くと良い。【選択図】なし【特許請求の範囲】
【請求項１】
2009284895.tif 000005
入れる、プラスチック他、カップラーメン、コンビニ弁当等を入れる容器をして、之が空になった際、別利用する害虫取りに供せられるべく、その中央部に、本発明される虫取り升が内側に取り付けられる請求をして、本図面に見られる様に、酒、飲料水（油）等を入れて販売されているに見られる紙容器の内側にして、空容器になった際、設置されている升が＿＿＿害虫取りになる物となる事を発明する請求。
【発明の詳細な説明】
【技術分野】
【０００１】  現在消費者が購入して、すぐにゴミとなるが、販売、生産者側でも大金を投じ、処理しなければならず、その上、紙資源になりづらく、大量のゴミとしてする負担も大きかった際、一日十万個づつ以上売れ、排出生産され続けるラインの中に在るこれら食品容器の内側に小さな虫取り升一つ付けるだけで人類に害を成し、人類の生存卒の十万倍以上の勢いで増えて生存する害虫の多くを（無料、０単価の元に）激滅させる事の出来る威力が、技術力として生じていた。
【背景技術】
【０００２】  ●Ｔ．４２０  ●Ｔ．５５０  ●Ｔ．６７０  ●Ｔ．１２０  ●Ｔ．１５０
【発明の開示】
【発明が解決しょうとする課題】
【０００３】  筆者は、曾てブルジョアジーの（臣大な資本金を持ち、企業利益、利子だけで生活できる一握りの人々の居る）世界に居た頃の事であった。――何もかもが自由であったが、不自由であった。――学生時代に学んだ哲学「最も自由な時に不自由有りし、最も不自由な時に最も自由有りし。」が思い出されていた。――筆者は、後先を考えずに、この世界を飛び出していた。
【０００４】  すると、そこには、プロレタリアの（ブルジョアの世界に労働力を提供し、賃金を貰って生活をしている大多数の人々の居る）世界があり、筆者は不自由の身となったが、底知れぬ自由を得る事が出来たが、やはり不満であり、この世界も飛び出し、
【０００５】ルンペン、プロレタリアの（現在用語では、プア、ワーカー。即ち、ブルジョアに労働力を提供し、働けば働く程貧しくなる）世界に入り込んで、朝から晩まで絵を書き、文字を書く作家になっていた時＿＿＿＿には、自分が最も理想とする世界に入っていた。――空白の時間は寝ていた。――朝起きると、自分のしなければならない仕事、ノルマが自分自身に設定されており、その仕事に縛られて、一切、他の事が出来ないでいる、不自由な自分を見る時に、それは、大変自由な物になっていた。――筆者は真実を追究し続けていた。――大学の教授からは嫌われた。――だか、猫には好かれた。――猫は自由であった。
【０００６】  筆者は、猫を自由観察し、スケッチし、日々これを記録していた。彼等は杜の中で逞しく生きていた。猫のお母さんは、蛇トカゲ、鼠、昆虫（バッタ）等を掴えて来ては、小猫に食べさせており、知人の食卓から盗んで来たサンマもあったが、猫のお母さんは自分で食べないでコドモに食べさせていた。（レ、ミゼラブルの世界をこの世界に見、この世界は、天上人、天下り人には未だ見えなかった。）
【０００７】    フッと見ると、杜の松林の木の多くが枯れ、イチジクの木等も枯れているのに気が付き、その原因を求め、調査しだしていた。原因はカミキリ虫である事がすぐに分った。
自然の営の中にあるものであったが、公園の木々や、農園、家屋、木材等迄も、白蟻他、多くの昆虫が、之を腐らせてダメにしているのを見た時、人間（人類）の生活圏に入って来て、利を齎せる事が出来ず、害するのみを提供する昆虫（おジャマ虫）を見て考える際に本件課題が与えられた。（木は心理学で、人の躰、国家さへ表わす。創世記４０章９〜１３節）
【課題を解決する手段】
【０００８】  ブルーシートに身を囲め、昼、労務をしている人々の生活圏にも、これらの生き物は、入って来た。――これらの人々の体力は劣ろえ始め、遂に昼の仕事が出来なくなり、夜るの仕事（ゴミ拾い）に切り替って、凌いでいる時、カラス（西洋では神父様）が来て、「鼠が増えて来て困るから、（リサイクル）ゴミは必ず壊してから出す様に公報し、２週間に一回、必ず小さなオニギリを世の迷える小羊に提供していた。（列王記Ｉ１７章６節）
【０００９】  カラスは、多くの世の羊の子等を導員し、この現状を見せて歩き廻っていた。「――オジさんみたいになってはいけませんよ！」尾羽打ち枯した神の子、羊達は跌いて、呟いやいた。――その頃、「皆一生懸命働いて努力し、普通の生活をする様に努力しているのに、「この年々増え続ける猫や鼠の量は一体、何んなのだ！」と言っていた犬にも、いつしかこれらの実情を知って、猫を可愛がり、時々餌をやる様になっていた。
それでも、大規模公園では、人知れず、多くの猫がノタレ死にしているのを筆者は見かけていた。（すぐに使い捨てられるリサイクル）ゴミは市場にもゴミ箱にも溢れ、賃金にもならなくなっていた。）
【００１０】  筆者は猫に説教した。「――悪戯するな！するなら見えない所でやれ！」猫は従順であった。（Ｔ．５８０．カルラーコクーン参照）
【００１１】    時に、多くの昆虫、ゴキブリ、白蟻、蚊、蠅＿＿＿＿他も侵入して来た。――益にならない者達であった。筆者は金をかけず之の抹殺を決意した。
【発明の効果】
【００１２】    筆者は、気が付くと、アレ程まじめだった青少年の頃＿＿＿＿＿＿＿＿＿＿＿＿＿の素形が無く、自由気ままに過ごす飲ベェとなっている中、今だ、手先の器用さが残っていたので、酒を飲みながら、空になった酒の紙容器を本発明図に示す様にハサミで切り開いて、中に、やは
2009284895.tif 000002
とされる餌を仕掛け、升の外には、ウッスラと中性洗済を流し込んでみた。すると、酒の匂いにつられ、数多くのゴキブリがブリッヂを渡って入り込んで来る物となり、空箱容器の底に張られた中性洗済がゴキブリの躰に一滴でも附着したが最後、ゴキブリの羽は使い物にならなくなり、呼吸さへ出来なくなって即死する他、匂いの強い醤油の空容器を使用しても、効力、効果は大きく、四角升の中に砂糖を入れて置くと、家屋敷に害を成す、
2009284895.tif 000003
際、之は、この中に落ち込んだ蟻の足に中性洗済が付いて滑って、入ったが最後、出られなくなったからであった。（Ｔ．６５８）
【発明を実施する最良の形能】
【００１３】
2009284895.tif 000004
多くの大切な果樹園、森林木にある木の幹に穴を開け、そこに伝染性の強いマツのザイセン虫他、寄生虫を殖え込んでいく際に、この時期、期節に合わせて、夏休みのコドモ、学生のボランテア力を募り、本発明品の升の中に（黒）蜜を入れて、これら害虫の来て欲しくない場所に、之を釘で打ち付けて置くと、この地区に発生するカミキリ虫を始めとする害虫は全滅してしまう為、（Ｔ．６５７）
【００１４】  異常気象時の折りもあって、昆虫の異常繁殖時、松枯れ等の多い地区に重点的に、本発明品を設置した場合、多大な金員をかけ、ヘリコプターを飛ばし、人体に有害となる農薬を広域にまき散らし、関係の無い多くの昆虫まで巻き添えに殺さなくとも済む事になり、
【００１５】  各家庭、厨房等に、升の中に入れる餌さへ変えて仕込ませれば、その用途に合わせた害虫のみ退出来る非常に安全であり、絶大な効力を持つ優れ物となったが、（Ｔ．６５５）
【産業上の利用の可能性】
本発明品の数々は、いずれの物にあっても、一日にして、数十万個以上排出消費出来ていて、すぐにゴミになる食品容器の空箱、中央部に小さな升を添付しただけで、之は各家庭に集る害虫ゴキブリを一掃でき、安価格、０単価の元に、森林に多大な害を成す昆虫さへ駆除出来る他、白アリ駆除にも応用でき、この便利が付く時、売り上げは倍増し、ホームレスの救済にもなり、
【００１６】  日々、当然の様にリサイクル料を支払って回収余議なくされていた物が、一個幾らという値の付く物品に早変わりし、海外森林資源国他、発展途上国に対して、害虫駆除品絶大効果品として（逆）輸出できる物品にさへ成る時、産業上利用の可能性は極めて高い物となった。
【符号の説明】
【００１７】１．元々、日本ソバ等を入れて販売される容器の中央部に四角若しくは円型等の弁を作り周囲にソバを配置して入れ、中央部には、ソバ汁を入れられる様にして作っておくと、空箱になった際には、本発明ゴキ地獄に転用される物となり、中央の升部には、フリカケを入れ、その周囲に中性洗済を入れる事を示している。２．中央のマスの中に、フリカケを餌として入れる事を示しており、３．その周囲には中性洗済を入れる事を示している。４．フリカケを小さな袋詰めとし、付録品として添附しておく事が理想となる図。６．匂いの強い醤油、酒、食用油入れ容器が、７．空になった際、之を横にし、上部位面を図の様にハサミで切り開き、８．ゴキブリが侵入し易い様に之を折り曲げ、９．よく折って、ブリッジの端が、ちゃんと地に付いているのを確認できるまでにして置くと、１０．ゴキブリがブリッヂを登って、本発明品、ゴキ地獄の中に入って来る事を示す図。１１．釘を示しており、森林、林、杜、果樹園他（盆栽）之等の幹に本発明品をして、升の中に蜜を入れておくと、同じ原理で、特にブドウ、イチジク他、松の木を荒らす、カミキリ虫がこの中に落ち込んで死ぬ為、これらの木々は守られるものとなった。但し、この場合、１２．ブリッジにも蜜を塗って置くと効果は倍増する物となった。１３．普通、コンビニ等で売られているプラスチック製の弁当箱等もこの様な型に出来る事が理想となる図であり、弁当の残り物を中央部の升の中に入れ、周囲に中性洗済を簿く入れて置くだけで、多くのゴキブリは掴れる他、１４．カップラーメンの内側底部もこの様にして作って置くと、ゴキブリは、このカップ麺の残り汁程好む物はなく、多くのゴキブリを退治する事が出来る物になる事を示す図となった。１５．之を陶器、プラスチック等、他で作る場合には、別使用する際、猫の餌入れ、サボテン等、小さな植物入れに成る事を示す図となるが、１６．底部には水抜き栓を付けると理想となった。１７．現在市場で市販されている飲料水（油、酒、牛乳等）入、他カップヤキソバ入れ空容器の底部に四角を付け、１８．その真上にカッターナイフで四角窓を開けられる様にし、１９．その小窓から砂糖水等餌汁を空容器内にある升の中に垂らし込み、２０．呑み口から中性洗済を注み込み入れて使用する場合、元々これらの容器の内側に付いている食品の匂いに誘われて、大量の蚊や蠅が中に入り込んで死滅する蠅取り器になる物となる為、草ムラ、各家庭の縁の下に設置した場合白蟻の駆除にさへ役立ち、養豚場、牛舎、養鶏場、犬舎他、蠅、蚊の多く集まる場所でも絶大な効力を発揮した。２１．害虫  ２２．拒絶色を配色すると、害虫、害鳥、害獣等他が果樹園等に近寄らなくなる効果が生じ、消費者が之を見る時には購売意欲等もそそる物となった。（Ｔ．４２０、５５０、６７０参照）  ２３．虫取り升は最初から容器の内側に付けていられるのが理想となったが、２４．最初は食品容器の外側に面面テープで取り付け、中につまみやフリカケ、砂糖等を入れ販売しても良いが、２５．これを取り外して、容器の内側に貼り付けられる事がアピールされる事も望ましかった。
【図１】
2009284895.tif 000006
【手続補正書】
【提出日】平成20年12月15日(2008.12.15)
【手続補正２】
【補正対象書類名】明細書
【補正対象項目名】全文
【補正方法】変更
【補正の内容】
【発明の詳細な説明】
【技術分野】
【０００１】  現在消費者が購入して、すぐにゴミとなるが、販売、生産者側でも大金を投じ、処理しなければならず、その上、紙資源になりづらく、大量のゴミとなるこれら食品容器等をして、一日十万個づつ以上売れ、排出生産され続けるラインの中に在るこれら食品容器の内側に小さな虫取り升一つ付けるだけで人類に害を成し、人類の生存率の十万倍以上の勢いで増えて生存する害虫の多くを（無料、０単価の元に）激滅させる事の出来る威力が、技術力として生じていた。
【背景技術】
【０００２】●Ｔ．４２０●Ｔ．５５０●Ｔ．６７０●Ｔ．１２０●Ｔ．１５０
【発明の開示】
【発明が解決しょうとする課題】
【０００３】  筆者は、曾てブルジョアジーの（臣大な資本金を持ち、企業利益、利子だけで生活できる一握りの人々の居る）世界に居た頃の事であった。  ――何もかもが自由であったが、不自由であった。  ――学生時代に学んだ哲学「最も自由な時に不自由有りし、最も不自由な時に自由有りし。」が思い出されていた。  ――筆者は、後先を考えずに、この世界を飛び出していた。
【０００４】  すると、そこにはプロレタリアの（ブルジョアの世界に労働力を提供し、賃金を貰って生活をしている大多数の人々の居る）世界があり、筆者は不自由の身となったが、底知れぬ自由を得る事が出来たが、やはり不満であり、この世界も飛び出し、
【０００５】ルンペン、プロレタリアの（現在用語では、プア、ワーカー。即ち、ブルジョアに労働力を提供し、働けば働く程貧しくなる）世界に入り込んで、朝から晩まで絵を描き、文字を書く作家になっていた時＿＿＿＿＿には、自分が最も理想とする世界に入っていた。  ――空白の時間は寝ていた。  ――朝起きると、自分のしなければならない仕事、ノルマが自分自身に設定されており、その仕事に縛られて、一切、他の事が出来ないでいる、不自由な自分を見る時に、それは、大変自由な物になっていた。  ――筆者は真実を追求し続けていた。  ――大学の教授からは嫌われた。  ――だが、猫には好かれた。  ――猫は自由であった。
――しかし併、俗に言う「世捨て人」とは、やはり巨大な資本金を持っている者でないとなれる身分ではなかった。自らが世を捨てても、必ず世の中の方が追いかけて来るものであり、追手を振り切るには１５年の年月さへ必要となったが、
2009284895.tif 000007
【０００６】  筆者は、猫を自由観測し、スケッチし、日々これを記録していた。彼等は杜の中で逞
2009284895.tif 000008
に食べさせており、知人の食卓から盗んで来たサンマもあったが、猫のお母さんは自分で食べないでコドモに食べさせていた。（レ．ミゼラブルの世界をこの世界に見、この世界は天上人、天下り人には未だ見えなかった。）
【０００７】    フッと見ると、杜の松林の木の多くが枯れ、イチジクの木等も枯れているのに気が付き、  その原因を求め、調査しだしていた。  原因はカミキリ虫である事がすぐに分った。
自然の営の中にあるものであったが、公園の木々や、農園、家屋、木材等迄も、白蟻他、多くの昆虫が、之を腐らせてダメにしているのを見た時、人間（人類）の生活圏に入って来て
2009284895.tif 000009
本件課題が与えられた。（木は心理学で、人の躰、国家さへ表わす。創世記４０章９〜１３節）
【課題を解決する手段】
【０００８】  ブルーシートに身を囲め、昼、労務をしている人々の生活圏にも、これらの生き物は、入って来た。  ――これらの人々の体力は劣ろえ始め、遂に昼の仕事が出来なくなり、夜るの仕事（ゴミ拾い）に切り替って、凌いでいる時、カラス（西洋では神父様）が来て、「鼠が増えて来て困るから、（リサイクル）ゴミは必ず壊してから出す様に公報し、２週間に一回、必ず小さなオニギリを世の迷える小羊に提供していた。（列王記Ｉ１７章６節）
【０００９】  カラスは多くの世の羊の子等を導員し、この現状を見せて歩き廻っていた。  「――オジさんみたいになってはいけませんよ！」尾羽打ち枯した神の子、羊達は跌いて、呟いやいた。  ――その頃、「皆一生懸命働いて努力し、普通の生活をする様に努力しているのに、「この年々増え続ける猫や鼠の量は一体、何んなのだ！」と言っていた犬にも、いつしかこれらの実情を知って、猫を可愛がり、時々餌をやる様になっていた。
〔００    〕
それでも、大規模公園では、人知れず、多くの猫がノタレ死にしているのを筆者は見かけていた。（すぐに使い捨てられるリサイクル）ゴミは市場にもゴミ箱にも溢れ、賃金にもならなくなっていた。）
【００１０】  筆者は猫に説教した。  「――悪戯するな！  するなら見えない所でやれ！」  猫は従順であった。（Ｔ．５８０．カルラーコクーン参照）
【００１１】    時に、多くの昆虫、ゴキブリ、白蟻、蚊、蠅＿＿＿＿他も侵入して来た。――益にならない者達であった。筆者は金をかけず之の抹殺を決意した。
【発明の効果】
【００１２】    筆者は、気が付くと、アレ程まじめだった青少年の頃＿＿＿＿＿＿＿＿＿＿＿＿の素形が無く、自由気ままに過ごす飲ベェとなっている中、今だ、手先の器用さが残っていたので、酒を飲みながら、空になった酒の紙容器を本発明図に示す様にハサミで切り開いて、中に、やは
2009284895.tif 000010
とされる餌を仕掛け、升の外には、ウッスラと中性洗済を流し込んでみた。すると、酒の匂いにつられ、数多くのゴキブリがブリッヂを渡って入り込んで来る物となり、空箱
2009284895.tif 000011
使い物にはならなくなり、呼吸さへ出来なくなって即死する他、匂いの強い醤油の空容器を使用しても、効力、効果は大きく、四角升の中に砂糖を入れて置くと、家屋敷に害を成す、
2009284895.tif 000012
際、之は、この中に落ち込んだ蟻の足に中性洗済が付いて滑って、入ったが最後、出られなくなったからであった。（Ｔ．６５８）
【発明を実施する最良の形態】
【００１３】
2009284895.tif 000013
多くの大切な果樹園、森林木にある木の幹に穴を開け、そこに伝染性の強いマツのザイセン虫他、奇生虫を植え込んでいく際に、この時期、期節に合わせて、夏休みのコドモ、学生のボランテア力を募り、本発明品の升の中に（黒）蜜を入れて、これら害虫の来て欲しくない場所に、之を釘で打ち付けて置くと、この地区に発生するカミキリ虫を始めとする害虫は全滅してしまう為、（Ｔ．６５７）
【００１４】  異常気象時の折りもあって、昆虫の異常繁殖時、松枯れ等の多い地区に重点的に、本発明品を設置した場合、多大な金員をかけ、ヘリコプターを飛ばし、人体に有害となる農薬を広域にまき散らし、関係の無い多くの昆虫まで巻き添えに殺さなくとも済む事になり、
【００１５】  各家庭、厨房等に、升の中に入れる餌さへ変えて仕込ませれば、その用途に合わせた害虫のみ退出来る非常に安全であり、絶大な効力を持つ優れ物となったが、（Ｔ．６５５）
【産業上の利用の可能性】
本発明品の数々は、いずれの物にあっても、一日にして、数十万個以上排出消費出来ていて、すぐにゴミになる食品容器の空箱、中央部に小さな升を添付しただけで、之は各家庭に集る害虫ゴキブリを一掃でき、安価格、０単価の元に、森林に多大な害を成す昆虫さへ駆除できる他、白アリ駆除にも応用でき、この便利が付く時、売り上げは倍増し、ホームレスの救済にもなり、
【００１６】  日々、当然の様にリサイクル料を支払って回収余議なくされていた物が、一個幾らという値の付く物品に早変わりし、海外森林資源国他、発展途上国に対して、害虫駆除品絶大効果品として（逆）輸出できる物品にさへ成る時、産業上利用の可能性は極めて高い物となった。
【図面の簡単な説明】
【００１７】現在、市場で生産販売されている簡易にして、大量生産され続けては、すぐにゴミになり易いプラスチック、木箱、紙器類他、硬質素材品等で作られる酒、食用油、ラーメン、弁当箱等をして、観賞用植物器他、ペットの餌入れ容器に至るまで、本用途に用いない際、これらの（不要）容器のほぼ中央部に小さな升を取り付けて用い、そこに害虫の好む餌を入れ、害虫の出没する場所に置き、升の周囲に中性洗済を注入して置いた場合、無料にして、意とするあらゆる害虫を捕獲、駆除できる害虫採り容器に成る事を示す発明品となる事を図例に示す図。
【符号の説明】
【００１８】  １．元々、日本ソバ等を入れて販売される容器の中央部に四角若しくは円型等の升を作り周囲にソバを配置して入れ、中央部には、ソバ汁を入れられる様にして作っておくと、空き箱になった際には、本発明ゴキ地獄に転用される物となり、中央の升部には、フリカケを入れ、その周囲に中性洗済を入れる事を示している。  ２．中央のマスの中に、フリカケを餌として入れる事を示しており、  ３．その周囲には中性洗済を入れる事を示している。  ４．フリカケを小さな袋詰めとし、付録品として添附しておく事が理想となる図。  ６．匂いの強い醤油、酒、食用油入れ容器が、  ７．空になった際、之を横にし、上部位面を図の様にハサミで切り開き、  ８，ゴキブリが侵入し易い様に之を折り曲げ、  ９．よく折ってブリッジの端が、ちゃんと地に付いているのを確認できるまでにして置くと、  １０．ゴキブリがブリッヂを登って、本発明品、ゴキ地獄の中に入って来る事を示す図。  １１．釘を示しており、森林、林、杜、果樹園他（盆栽）之等の幹に本発明品をして、升の中に蜜を入れておくと、同じ原理で、特にブドウ、イチジク他、松の木を荒らす、カミキリ虫が落ち込んで死ぬ為、これらの木々は守られるものとなった。但し、この場合、  １２．ブリッジにも蜜を塗って置くと効果は倍増する物となった。  １３．普通、コンビニ等で売られているプラスチック製の弁当箱等もこの様な型に出来る事が理想となる図であり、弁当の残り物を中央部の升の中に入れ、周囲に中性洗済を薄く入れて置くだ
2009284895.tif 000014
て置くと、ゴキブリは、このカップ麺の残り汁程好む物はなく；多くのゴキブリを退治する事が出来る物になる事を示す図となった。  １５．之を陶器、プラスチック等、他で作る場合には、別使用する  際、猫の餌入れ、サボテン等、小さな植物入れに成る事を示す図となるが、  １６．底部には水抜き栓を付けると理想となった。  １７．現在市場で市販されている飲料水（油、酒、牛乳等）入、他カップヤキソバ入れ空容器の底部に四角  を付け、  １８．その真上にカッターナイフで四角窓を開けられる様にし、  １９．その小窓から砂糖水等餌汁を空容器内にある升の中に垂らし込み。  ２０．呑み口から中性洗済を注み込み入れて使用する場合、元々これらの容器の内側に付いている食品の匂いに誘われて、大量の蚊や蠅が中に入り込んで死滅する蠅取り器になる物となる為、草ムラ、各家庭の縁の下に設置した場合白蟻の駆除にさへ役立ち、養豚場、牛舎、養鶏場、犬舎他、蠅、蚊の多く集まる場所でも絶大な効力を発揮した。  ２１．害虫  ２２．拒絶色を配色すると、害虫、害鳥、害獣等他が果樹園等に近寄らなくなる効果が生じ、消費者が之を見る時には購売意欲等もそそる物となった。（Ｔ．４２０，５５０，６７０  参照）  ２３．虫取り升は最初から容器の内側に付けていられるのが理想となったが、  ２４．最初は、食品容器の外側に面面テープで取り付け、中に、つまみやフリカケ、砂糖等を入れ販売しても良いが、  ２５．これを取り外して容器の内側に貼り付けられる事がアピールされる事も望ましかった。